(57)【要約】【課題】携帯型コンピュータのスライド・パッド部分をマウスとしても利用できるような機構を提供する。【解決手段】コンピュータ本体１００とは着脱可能にしたポインティング・デバイス構造体３００を設け、この構造体はコンピュータ本体に実装した状態ではスライド・パッドとして操作入力できるスライド・パッド入力手段を搭載すると共に、コンピュータ本体から分離した状態ではマウスとして操作入力できるマウス入力手段を搭載する。  ２個の操作ボタン１０４、１０５を、スライド・パッド用とマウス用で共用にする機構、スライド・パッド入力手段またはマウス入力手段とコンピュータ本体との間のデータ授受はＵＳＢインタフェース、ＩｒＤＡ赤外線インタフェース、またはＢｌｕｅｔｏｏｔｈ無線インタフェースで行うことを含む。【選択図】  図１
2005234627.tif 000002
【特許請求の範囲】
【請求項１】
携帯型コンピュータのポインティング入力機構であって、
コンピュータ本体とは着脱可能にしたポインティング・デバイス構造体を設け、この構造体はコンピュータ本体に実装した状態ではスライド・パッドとして入力操作できるスライド・パッド入力機構を搭載すると共に、コンピュータ本体から分離した状態ではマウスとして入力操作できるマウス入力機構を搭載したことを特徴とする携帯型コンピュータのポインティング入力機構。
【請求項２】
前記スライド・パッド入力機構で使用する２個の操作ボタンを、前記マウス入力機構で使用する操作ボタンと共用にし、
前記２個の操作ボタンは、前記スライド・パッド入力機構で使用する場合と前記マウス入力機構で使用する場合とでは、左右の操作入力信号を自動的に逆に切り換える手段を設けたことを特徴とする請求項１に記載の携帯型コンピュータのポインティング入力機構。
【請求項３】
前記ポインティング・デバイス構造体は、前記スライド・パッド入力機構または前記マウス入力機構と前記コンピュータ本体との間のデータ授受を行うＵＳＢインタフェースを設け、
前記ＵＳＢインタフェースのケーブルとコネクタを内部に収納できる構造としたことを特徴とする請求項１または２に記載の携帯型コンピュータのポインティング入力機構。
【請求項４】
前記ポインティング・デバイス構造体は、前記スライド・パッド入力機構または前記マウス入力機構と前記コンピュータ本体との間のデータ授受を行うＩｒＤＡ赤外線インタフェースを設け、
前記ＩｒＤＡ赤外線インタフェースに電源を供給するバッテリと、このバッテリから前記ＩｒＤＡ赤外線インタフェースへの放電および前記コンピュータ本体に装着したときに該コンピュータ本体の電源で該バッテリを充電する充放電回路を内蔵したことを特徴とする請求項１または２に記載の携帯型コンピュータのポインティング入力機構。
【請求項５】
前記ポインティング・デバイス構造体は、前記スライド・パッド入力機構または前記マウス入力機構と前記コンピュータ本体との間のデータ授受を行うＢｌｕｅｔｏｏｔｈ無線インタフェースを設け、
前記Ｂｌｕｅｔｏｏｔｈ無線インタフェースに電源を供給するバッテリと、このバッテリから前記Ｂｌｕｅｔｏｏｔｈ無線インタフェースへの放電および前記コンピュータ本体に装着したときに該コンピュータ本体の電源で該バッテリを充電する充放電回路を内蔵したことを特徴とする請求項１または２に記載の携帯型コンピュータのポインティング入力機構。
【発明の詳細な説明】
【技術分野】
【０００１】
本発明は、ノート型パーソナル・コンピュータなどの携帯型コンピュータのポインティング入力機構に関するものである。
【背景技術】
【０００２】
現在、携帯可能なノート型のパーソナル・コンピュータはポインティング・デバイスとして、スライド・バッドと２つの選択ボタンを有しているのが一般的であり、デスク・トップ型で最も一般的であるマウスと同等の操作に用いている。このポインティング・デバイスは、現在一般に使用されているパーソナル・コンピュータのアプリケーション・ソフトウェアに於いて、画面上の選択ポイントを指示するために広く用いられており、コンピュータ操作の上では極めて重要な働きをするものである。
【０００３】
図１１に、現在一般的に使用されているノート型パーソナル・コンピュータ（以下ノート型パソコンと略す。）の外観と各部の機能を示す。図１１に於いて、１００はノート型パソコンの本体、１０１は入力用のキーボード部であり、１０２が画面表示用のＬＣＤディスプレイ部である。また、１０３がポインティング・デバイスとして使用されるスライド・パッド部、１０４が操作用の左ボタン・スイツチ、１０５が操作用の右ボタン・スイツチである。
【０００４】
１０３部のスライド・パッドは、操作者が指でそのパッドの上面に触れた後、そのパッド面を押しながらスライドさせるとその指の移動量と移動方向を検出してパソコンに内蔵されたＣＰＵにこれを通知する機能を有する。このスライド・パッドから与えられる方向と移動量に従って、ＣＰＵが画面上のポインタを移動させることによって、操作者は画面上の必要な位置を指定することができる。
【０００５】
現状の一般的なノート型パソコンの内部回路の機能構成例を図１２に示す。図に於いて、２００の破線内がノート型パソコンの本体の全体、２０１は電源回路で外部のＡＣアダプタからの直流電源を降圧して内部回路に与えたり、内蔵するバッテリの充放電管理を行う。
【０００６】
２０２は、パソコンとしての演算処理や制御を司る演算処理プロセッサ（ＣＰＵ）である。２０３はＣＰＵが各制御部との間でデータを授受するためのＣＰＵＢｕｓである。２０４は、演算処理のプログラムが格納されるプログラム・メモリであって、不揮発性のＦｌａｓｈＲＯＭなどで構成される。２０５は演算処理中に使用される大容量のワーク・メモリであってＳＤＲＡＭやＤＤＲＡＭなどで構成される。
【０００７】
２１０は操作者によるキー操作を入力するためのキー入力コントロール回路であって、２１１はキーボードである。２２０は、ポインティング・デバイスの操作を入力するためのポインティング・デバイス・コントロール回路であって、２２１が本発明に係るポインティング・デバイス部分であり、この例では、スライド・パッドと付属された操作用のボタン・スイツチである。２３０は、画像表示用のＬＤＣ表示器のコントロール回路、２３１はＬＣＤパネルである。
【０００８】
更に、ノート型パソコンでは各種の外部入出力インタフェースを持つことが普通で、２４０にこれらの入出力コントロール回路を一括して表現している。この外部インタフェースとしては、２４１のＵＳＢインタフェース、２４２のＩＥＥＥ１３９４インタフェース、２４３のＩｒＤＡ（赤外線）インタフェース、２４４のその他インタフェース（ＢｌｕｅＴｏｏｔｈや旧来のＲＳ−２３２−Ｃインタフェース、その他各種インタフェースが考えられる）などが設けられる。２５０は装置内外に設けられる大容量ストレージ・デバイスのコントロール回路であって、２５１のＦＤＤドライブ、２５２のＨＤＤドライブ、２５３のＣＤ−ＲやＤ−Ｒ／Ｗのドライブなどを制御する。他の外部入出力インタフェースとして、テンキーがあり、このテンキーをスライド・パッドの裏面に設けて、その選択的な使用を可能にするものもある（例えば、特許文献１参照）。
【０００９】
２６０はカード・スロット・コントロール回路であって、２６１に示す、ＰＣＭＣＩＡカード・スロットや、ＣａｒｄＢｕｓカード・スロット他、機能拡張用の各種カードを利用できるようになっている。
【特許文献１】特開平１１−０１５５８７号公報
【発明の開示】
【発明が解決しようとする課題】
【００１０】
さて、上述の通り、携帯可能なノート型パソコンのポインティング・デバイスとしては、本体に組み込まれたスライド・パッドと操作ボタンが一般的であり、ノート型パソコンを自由に持ち歩いて、どのような場所でも操作できるという点から考えると、このスライド・パッドは必要不可欠であることに間違いはない。しかし、通常、デスクトップのパソコンでマウスを使用している人間にとっては、このスライド・パッドは決して使いやすいポインティング・デバイスとは言えない。
【００１１】
これは、かなりの面積をもった指先だけで微細な位置を素早く指定することが困難であること（特に図の作画等をするのが極めて難しくなること）、操作ボタンの操作がマウスとは異なる指の操作を必要とし、場合によっては両手を用いる必要が出てくると言った点である。
【００１２】
この様な理由で、スライド・パッドの使い勝手の悪さは、その必需性と共に、多くが認めるところである。
【００１３】
そこで、使い勝手を重視する場合にはノート型パソコンでもポインティング・デバイスとしてマウスを使用すれば良い訳であり、通常のデスク・ワークではノート型パソコンでもマウスを利用している人は多いのであるが、いざこのパソコンを持ち歩いて、出張などに携帯する場合を考えると、本体とは別にゴロゴロとしたマウスを携行するのは邪魔となって、これもまた不便であると言わざるを得ない。
【００１４】
本発明の目的は、スライド・パッド部分をマウスとしても利用できるような機構を提供し、本体と別にマウスを携行しなくても、本体だけ持ち運べば、パソコンを使用する段階でマウスと同じ環境でポインティング操作を行うことを可能とする携帯型コンピュータのポインティング入力機構を提供することにある。
【課題を解決するための手段】
【００１５】
前記の課題を解決するための本発明は、以下の構成を特徴とする。
【００１６】
（１）携帯型コンピュータのポインティング入力機構であって、
コンピュータ本体とは着脱可能にしたポインティング・デバイス構造体を設け、この構造体はコンピュータ本体に実装した状態ではスライド・パッドとして入力操作できるスライド・パッド入力機構を搭載すると共に、コンピュータ本体から分離した状態ではマウスとして入力操作できるマウス入力機構を搭載したことを特徴とする。
【００１７】
（２）前記スライド・パッド入力機構で使用する２個の操作ボタンを、前記マウス入力機構で使用する操作ボタンと共用にし、
前記２個の操作ボタンは、前記スライド・パッド入力機構で使用する場合と前記マウス入力機構で使用する場合とでは、左右の操作入力信号を自動的に逆に切り換える手段を設けたことを特徴とする。
【００１８】
（３）前記ポインティング・デバイス構造体は、前記スライド・パッド入力機構または前記マウス入力機構と前記コンピュータ本体との間のデータ授受を行うＵＳＢインタフェースを設け、
前記ＵＳＢインタフェースのケーブルとコネクタを内部に収納できる構造としたことを特徴とする。
【００１９】
（４）前記ポインティング・デバイス構造体は、前記スライド・パッド入力機構または前記マウス入力機構と前記コンピュータ本体との間のデータ授受を行うＩｒＤＡ赤外線インタフェースを設け、
前記ＩｒＤＡ赤外線インタフェースに電源を供給するバッテリと、このバッテリから前記ＩｒＤＡ赤外線インタフェースへの放電および前記コンピュータ本体に装着したときに該コンピュータ本体の電源で該バッテリを充電する充放電回路を内蔵したことを特徴とする。
【００２０】
（５）前記ポインティング・デバイス構造体は、前記スライド・パッド入力機構または前記マウス入力機構と前記コンピュータ本体との間のデータ授受を行うＢｌｕｅｔｏｏｔｈ無線インタフェースを設け、
前記Ｂｌｕｅｔｏｏｔｈ無線インタフェースに電源を供給するバッテリと、このバッテリから前記Ｂｌｕｅｔｏｏｔｈ無線インタフェースへの放電および前記コンピュータ本体に装着したときに該コンピュータ本体の電源で該バッテリを充電する充放電回路を内蔵したことを特徴とする。
【発明の効果】
【００２１】
携帯可能なノート型パソコンのポインティング・デバイスとしては、本体に組み込まれたスライド・パッドと操作ボタンをもつ構造が一般的であり、ノート型パソコンを自由に持ち歩いて、どのような場所でも操作できるという点から考えると、このスライド・パッドは必要不可欠であることに間違いはないが、通常、デスクトップのパソコンでマウスを使用している人にとっては、このスライド・パッドは決して使いやすいポインティング・デバイスとは言えない。
【００２２】
これは、かなりの面積をもった指先だけで微細な位置を素早く指定することが困難であること（特に図の作画等をするのが極めて難しい）、操作ボタンの操作がマウスとは異なる指の操作を必要とし、場合によっては両手を用いる必要が出てくると言った点による。
【００２３】
そこで、使い勝手を重視する場合にはノート型パソコンでもポインティング・デバイスとしてマウスを使用すれば良い訳であり、通常のデスク・ワークではノート型パソコンでもマウスを利用している人は多いのであるが、いざこのパソコンを持ち歩いて、出張などに携帯する場合を考えると、本体とは別にゴロゴロとしたマウスを携行するのは邪魔となって、これもまた不便であると言わざるを得ない。
【００２４】
本発明では、携帯型コンピュータに於いて、マウスがなくてもポインティング操作ができるようにスライド・パッドは用意するものの、この部分をマウスとしても利用できるようなポインティング・デバイス構造体を実現し、これをノート型パソコンと着脱できるような構造とすることによって、本体と別にマウスを携行しなくても、本体だけ持ち運べば、パソコンを使用する段階でマウスと同じ環境でポインティング操作を行うことが可能なる。
【００２５】
実施形態１では、ポインティング・デバイス構造体の中に、スライド・パッドの入力手段とマウス入力手段を取り込んだ上に、ＵＳＢインタフェースで本体との間のデータ授受を行い、ＵＳＢケーブルとコネクタまでをポインティング・デバイス構造体内部に収納できるようにする。この場合には、ケーブルの収納機構は複雑になるものの、一般的なＵＳＢインタフェースを利用できる上、電源供給についてもこのインタフェースで行われるので、バッテリや充放電機構を設けなくても良い点がメリットである。
【００２６】
実施形態２では、ポインティング・デバイス構造体の中に、スライド・パッドの入力手段とマウス入力手段を取り込んだ上に、ＩｒＤＡ赤外線インタフェースで本体との間のデータ授受を行う。この場合には、本体と本構造体をケーブルで結ぶ必要がないため、ポインティング操作の自由度が高まると共に、ケーブルやコネクタの収納機構を設ける必要がない分、構造的には簡素化できる。但し、本体とは完全に分離して操作されるため、バッテリとその充放電回路を内蔵する。このバッテリへの充電は、本体に装着されている間に行われるようにすることによって、専用の電池の準備や特殊な充電器を用いなくても良く、電池の存在を意識させずに使用できる。
【００２７】
実施形態３では、ポインティング・デバイス構造体の中に、スライド・パッドの入力手段とマウス入力手段を取り込んだ上に、Ｂｌｕｅｔｏｏｔｈ無線インタフェースで本体との間のデータ授受を行う。この場合のメリットは実施形態２のＩｒＤＡ赤外線インタフェースの場合と同じであるが、更に、ＩｒＤＡ赤外線通信の場合に考慮が必要であった指向性を意識する必要がなくなる。
【００２８】
ＩｒＤＡ赤外線インタフェースの場合、光の指向性が強いために、赤外線ＬＥＤと赤外線受光部は右手操作の場合と左手の操作の場合で、取り付けの位置を変えたものを用意するか、両側にそれを用意して切り換えて用いる必要があったが、Ｂｌｕｅｔｏｏｔｈ無線インタフェースの場合、このような指向性がないため、当該のノート型パソコンの近傍であれば、全く任意の位置で、右手も左手も意識することなく使用できる。
【発明を実施するための最良の形態】
【００２９】
上述の通り、本発明では、図１１に示すような、ノート型パソコンに於いて、マウスがなくてもポインティング操作ができるようにスライド・パッドは用意するものの、この部分をマウスとしても利用できるような機構を提供し、本体と別にマウスを携行しなくても、本体だけ持ち運べば、パソコンを使用する段階でマウスと同じ環境でポインティング操作を行うことを可能とする。
【００３０】
本発明の基本的な操作性について説明する。図１に本発明による方式を用いたノート型パソコンの外観を示す。図１（ａ）に於いて、１００〜１０５は、図１１の一般的なノート型パソコンの外観例と同じである。同図に於いて、３００部は、１０３のスライド・パッド、１０４の右操作ボタン・スイツチ、１０５の左操作ボタン・スイッチ部分を本体から切り離せるようにしたポインティング・デバイス構造体である。
【００３１】
本体側は、この３００のポインティング・デバイス構造体がぴったりと嵌るようにえぐれた形で構成され、太い矢印方向に３００の構造体を前後させることによって、３００の構造体がパソコン本体と着脱できるようにする。
【００３２】
この機構を実現するために、１００のノート型パソコンの本体側には、１１１部のスライド・バー、１１２の脱落防止フック操作ボタン、１１３の脱落防止フック爪、１１４の本体側接続コネクタなどの構造を用意する。
【００３３】
また、３００のポインティング・デバイス構造体側には、３０１部のスライド溝、３０３の脱落防止フックのラッチ溝、３０４のポインティング・デバイス側接続コネクタを設ける。
【００３４】
これらの構造により、１１１の本体側のスライド・バーが、３０１のポインティング・デバイスのスライド溝に嵌り、３０４のポインティング・デバイス側接続コネクタが、１１４の本体側接続コネクタに嵌り、１１３の本体側の脱落防止フック爪が３０３の脱落防止フックのラッチ溝に嵌ることによって、このポインティング・デバイス構造体が本体に嵌合して本来のノート型パソコンの形態と機能を満たすようにする。
【００３５】
図１の（ｂ）は、この嵌合状態を示す。このような構造体とすることにより、図１２に示す回路機能ブロックの中で、２２１部のスライド・パッド／操作用スイッチが本体と、分離、着脱可能となる。
【００３６】
本発明は、このように、ノート型パソコンに実装されているポインティング・デバイス機能部分を上述のように本体と分離・着脱可能な構造にした上で、このポインティング・デバイス構造体の中に、本来のスライド・パッド機能の他に、マウス機能も搭載してしまうことを特長とする。
【００３７】
つまり、通常使用時に、本体と嵌合されている場合には、スライド・パッド機能を有効として、一般的な使用方法で扱える上、このポインティング・デバイス構造体を本体から外した場合には、マウス機能を有効にして、この構造体をマウスとして利用できるようにする訳である。このようにすれば、持ち運びに不便となるマウスもノート型パソコンの本体に収納されているのと同じことになるため、このパソコン本体を携行する全ての環境で、使い勝手のよいマウス操作も可能にすることができる。
【００３８】
以下、本発明におけるポインティング・デバイス構造体に、マウスの機能を取り込んだ実施形態を説明する。
【００３９】
＜実施形態１＞
本実施形態は、当該のポインティング・デバイス構造体に取り込んだマウス機能を、ＵＳＢインタフェースにてノート型パソコンの本体と接続する例である。
【００４０】
図２に、本実施形態によるポインティング・デバイス構造体の機構例を示し、（ａ）が表面側を俯瞰した図、（ｂ）が裏面側を俯瞰した図である。
【００４１】
図２に於いて、４００は、ポインティング・デバイス構造体の全体を示し、図１に於ける３００と同じである。４０１は、このポインティング・デバイスをノート型パソコンの本体（図１に於ける１００部分）と接続し、マウスの情報（移動方向、移動距離など）を授受するためのＵＳＢインタフェース・コネクタである。４０２は、ＵＳＢインタフェース・ケーブルであり、４０５部のように本構造体の内部に巻き込まれて収納できるものとする。
【００４２】
４０３は、４０２のＵＳＢコネクタを収納するための窓であり、４０４はその窓のスライド式の蓋を表現している。４０１のＵＳＢコネクタと４０２のＵＳＢケーブルは、４０３部の窓から格納スペースに格納できるものとし、この蓋を開けてコネクタを引き出すと、ケーブルが伸びて実使用に適した長さに調整できるものとする。この部分の構造にはこだわらないが、近年の小型の巻尺（スケール）のように、一旦引き出すとその長さで停止され、もう一度引き出すとばねの力により自動的にケーブルを巻き込むような機構が適している。
【００４３】
次に、図２の（ｂ）に示した裏面側であるが、この面には、光学式マウスの機構を実装する。４１０はＬＥＤによる発光部であり、４１１はその受光部（光センサ）である。４１０による光を凹凸のある反射面に反射させて、４１１のセンサで読み込み、その操作の移動量と移動方向を算出する訳である。
【００４４】
このようにして、このポインティング・デバイス構造体をマウスとして利用する形態を図３に示す。図３から判るように、１０４の操作ボタン上には中指が乗り、１０５の操作ボタン上には人差指が乗ることになるので、この２つの操作ボタンの利用方法は、スライド・パッドを使用する場合とは左右の意味合いを逆転する必要がある。つまり、この例では、１０４側が右操作ボタン・スイツチ、１０５側が左操作ボタン・スイッチとなる。
【００４５】
ここで、本実施形態１によるポインティング・デバイス構造体の内部回路構成例を、図４に示す。同図に於いて、６００（一点鎖線に囲まれた部分）は、ポインティング・デバイス構造体の全体を示す。
【００４６】
図に於いて、１０３は、図１１と同様のスライド・パッドである。１０４と１０５は操作ボタン・スイツチであり、スライド・パッド機能（この構造体がノート型パソコンに実装された場合）で用いられる場合には、１０４が左操作、１０５が右操作スイッチとなるが、マウス機能（この構造体がノート型パソコンから分離された場合）で用いられる場合には、１０４が右操作、１０５が左操作用のスイッチになるようにする。この切り換えについては、この構造体を３０４のホストＩ／Ｆコネクタで本体に接続されているか否かで自動的に切り替えるものとする。
【００４７】
この構造体をノート型パソコンに実装して使用する場合、１０３のスライド・パッドは、６０１に示すスライド・パッド入力回路により電気信号として取り込まれ、その情報は、６０３のフォーマット変換／ホストＩ／Ｆ回路を介してパソコン本体に与えられる。また、１０４と１０５の操作ボタン・スイッチは、６０２のスイッチ入力回路にて電気信号として取り込まれ、この情報も６０３のフォーマット変換／ホストＩ／Ｆ回路を介してパソコン本体に与えられる。この場合に６０３のスライド・パッド・フォーマット変換／ホストＩ／Ｆ回路とノート型パソコン本体とを接続するコネクタが３０４のホストＩ／Ｆコネクタであって、この部分で本体から電源供給も受けることになる。この場合には、スライド・パッド用のインタフェース回路群のみが電源供給を受ける。この３０４部は、図１に示す３０４部と同じである。
【００４８】
次に、この構造体をノート型パソコンから分離して使用する場合、４０１のＵＳＢコネクタと４０２のＵＳＢケーブルを介して、この構造体を本体のＵＳＢインタフェース（図１２に示す２４１部）に接続する。この場合には、この４０１のコネクタを介して、ＵＳＢインタフェースより電源が供給される。この場合にはマウス側のインタフェース回路群のみが電源の供給を受けるようにする。
【００４９】
６０４が光学式マウスの機能を実現するための光学式移動認識回路（通常専用のＬＳＩにて機能が実現されている）であり、４１０が発光用のＬＥＤ、４１１が反射を受光する光センサである。光学式移動認識回路によって得られた、マウスの情報を、ＵＳＢインタフェースの情報にフォーマット変換するのが、６０５のマウス・フォーマット変換／ＵＳＢインタフェース回路である。
【００５０】
以上のような、ポインティング・デバイス構造体とすることにより、この構造体をノート型パソコン本体に実装した場合には、スライド・パッドをポインティング・デバイスとして使用でき、これを本体から分離した場合には、ＵＳＢインタフェースを持った光学式のマウスとして使用することができるようになる。
【００５１】
＜実施形態２＞
本実施形態２は、当該のポインティング・デバイス構造体に取り込んだマウス機能を、ＩｒＤＡ赤外線インタフェースにてノート型パソコンの本体と接続する例である。
【００５２】
図５に、本実施形態によるポインティング・デバイス構造体の機構例を示し、（ａ）が表面側を俯瞰した図、（ｂ）が裏面側を俯瞰した図である。
【００５３】
図５に於いて、７００は、本実施形態によるポインティング・デバイス構造体の全体を示し、図１に於ける３００と同じである。７０１は、このポインティング・デバイスとノート型パソコンの本体との情報の授受を赤外線インタフェースで行う場合の赤外線ＬＥＤ部であり、７０２は同じく赤外線の受光部である。
【００５４】
次に、図５の（ｂ）に示した裏面側であるが、実施形態１と同様に、この面には、光学式マウスの機構を実装する。４１０は、ＬＥＤによる発光部であり、４１１はその受光部（光センサ）である。４１０による光を凹凸のある反射面に反射させて、４１１のセンサで読み込み、その操作の移動量と移動方向を算出する訳である。
【００５５】
このようにして、このポインティング・デバイス構造体をマウスとして利用する形態を図６に示す。図６から判るように、１０４の操作ボタン上には中指が乗り、１０５の操作ボタン上には人差指が乗ることになるので、この２つの操作ボタンの利用方法は、スライド・パッドを使用する場合とは左右の意味合いを逆転する必要がある。つまり、この例では、１０４側が右操作ボタン・スイッチ、１０５側が左操作ボタン・スイッチとなる。
【００５６】
ここで、本実施形態２によるポインティング・デバイス構造体の内部回路構成例を、図７に示す。同図に於いて、９００（一点鎖線に囲まれた部分）は、実施形態２によるポインティング・デバイス構造体の全体を示す。
【００５７】
図に於いて、１０３は、図１１と同様のスライド・パッドである。１０４と１０５は操作ボタン・スイツチであり、スライド・パッド機能（この構造体がノート型パソコンに実装された場合）で用いられる場合には、１０４が左操作、１０５が右操作スイツチとなるが、マウス機能（この構造体がノート型パソコンから分離された場合）で用いられる場合には、１０４が右操作、１０５が左操作用のスイッチになるようにする。この切り換えについては、この構造体を３０４のホストＩ／Ｆコネクタで本体に接続されているか否かで自動的に切り替えるものとする。
【００５８】
この構造体をノート型パソコンに実装して使用する場合、１０３のスライド・パッドは、６０１に示すスライド・パッド入力回路により電気信号として取り込まれ、その情報は、６０３のフォーマット変換／ホストＩ／Ｆ回路を介してパソコン本体に与えられる。また、１０４と１０５の操作ボタンースイツチは、６０２のスイツチ入力回路にて電気信号として取り込まれ、この情報も６０３のフォーマット変換／ホストＩ／Ｆ回路を介してパソコン本体に与えられる。この場合に６０３のスライド・パッド・フォーマット変換／ホストＩ／Ｆ回路とノート型パソコン本体とを接続するコネクタが３０４のホストＩ／Ｆコネクタであって、この部分で本体から電源供給も受けることになる。この場合には、スライド・パッド用のインタフェース回路群のみが電源供給を受ける。この３０４部は、図１に示す３０４部と同じである。
【００５９】
次に、この構造体をノート型パソコンから分離して使用する場合、７０１の赤外線ＬＥＤと７０２の赤外線受光部を介して、ノート型パソコン本体側のＩｒＤＡ赤外線インタフェース（図１２に示す２４３部）との間でデータの授受を行うことができる。このポインティング・デバイス構造体の場合単純なマウス機能であれば情報は本体への送信方向のみであるので、７０２の赤外線受光部は不要である。
【００６０】
本ポインティング・デバイス構造体に於いて、この赤外線インタフェース（ＬＥＤと受光部）が操作時の親指側に付いているのは、通常マウスが右手で操作され、パソコン本体の右側で操作されることが多いためで、その一例として掲げているが、左手操作用に反対側にこれらを取り付けることも考えられる。
【００６１】
さて、この赤外線インタフェースの場合には、このポインティング・デバイス構造体と本体との間は完全に分離され、ケーブルで結ばれることがないので、極めて自由にポインティング操作ができるというメリットが大きいが、この場合には、ケーブルがないため、本体から直接電源を供給することができない。
【００６２】
このため、この実施形態２の場合には、この構造体がパソコン本体に接続されている状態で、３０４のホストＩ／Ｆコネクタから電源が供給されている間に、９０２のバッテリ充放電制御回路によって、９０３の充電用２次バッテリに充電を行い、この構造体が本体から分離されると、このバッテリが放電して電源の供給を行うようにする。これによって、マウス機能と赤外線インタフェース機能は、このバッテリ電源によって駆動する。
【００６３】
更に、図７に於いて、６０４が光学式マウスの機能を実現するための光学式移動認識回路（通常専用のＬＳＩにて機能が実現されている）であり、４１０が発光用のＬＥＤ、４１１が反射を受光する光センサである。光学式移動認識回路によって得られたマウスの情報を、赤外線インタフェース用のシリアル情報にフォーマット変換するのが、９０１のマウス・フォーマット変換／ＩｒＤＡ（赤外線）インタフェース回路である。
【００６４】
以上のような、ポインティング・デバイス構造体とすることにより、この構造体をノート型パソコン本体に実装した場合には、スライド・パッドをポインティング・デバイスとして使用でき、これを本体から分離した場合には、赤外線インタフェースを持った光学式のマウスとして使用することができるようになる。
【００６５】
＜実施形態３＞
本実施形態３は、当該のポインティング・デバイス構造体に取り込んだマウス機能を、Ｂｌｕｅｔｏｏｔｈ無線インタフェースにてノート型パソコンの本体と接続する例である。
【００６６】
図８に、本実施形態によるポインティング・デバイス構造体の機構例を示し、（ａ）が表面側を俯瞰した図、（ｂ）が真面側を俯瞰した図である。
【００６７】
図８に於いて、１０００は、本実施形態によるポインティング・デバイス構造体の全体を示し、図１に於ける３００と同じである。
【００６８】
この例では無線のアンテナがこのポインティング・デバイス構造体の中に組み込まれてしまうため、表面的には本体との間にデータを授受するための機構を見出すことはできない。
【００６９】
次に、図８の（ｂ）に示した裏面側であるが、実施形態１と同様に、この面には、光学式マウスの機構を実装する。４１０は、ＬＥＤによる発光部であり、４１１はその受光部（光センサ）である。４１０による光を凹凸のある反射面に反射させて、４１１のセンサで読み込み、その操作の移動量と移動方向を算出する訳である。
【００７０】
このようにして、このポインティング・デバイス構造体をマウスとして利用する形態を図９に示す。図９から判るように、１０４の操作ボタン上には中指が乗り、１０５の操作ボタン上には人差指が乗ることになるので、この２つの操作ボタンの利用方法は、スライド・パッドを使用する場合とは左右の意味合いを逆転する必要がある。つまり、この例では、１０４側が右操作ボタン・スイツチ、１０５側が左操作ボタン・スイッチとなる。
【００７１】
ここで、本実施形態によるポインティング・デバイス構造体の内部回路構成例を、図１０に示す。同図に於いて、１２００（一点鎖線に囲まれた部分）は、ポインティング・デバイス構造体の全体を示す。
【００７２】
図に於いて、１０３は、図１１と同様のスライド・パッドである。１０４と１０５は操作ボタン・スイツチであり、スライド・パッド機能（この構造体がノート型パソコンに実装された場合）で用いられる場合には、１０４が左操作、１０５が右操作スイツチとなるが、マウス機能（この構造体がノート型パソコンから分離された場合）で用いられる場合には、１０４が右操作、１０５が左操作用のスイッチになるようにする。この切り換えについては、この構造体を３０４のホストＩ／Ｆコネクタで本体に接続されているか否かで自動的に切り替えるものとする。
【００７３】
この構造体をノート型パソコンに実装して使用する場合、１０３のスライド・パッドは、６０１に示すスライド・パッド入力回路により電気信号として取り込まれ、その情報は、６０３のフォーマット変換／ホストＩ／Ｆ回路を介してパソコン本体に与えられる。また、１０４と１０５の操作ボタン・スイッチは、６０２のスイッチ入力回路にて電気信号として取り込まれ、この情報も６０３のフォーマット変換／ホストＩ／Ｆ回路を介してパソコン本体に与えられる。この場合、６０３のスライド・パッド・フォーマット変換／ホストＩ／Ｆ回路とノート型パソコン本体とを接続するコネクタが３０４のホストＩ／Ｆコネクタであって、この部分で本体から電源供給も受けることになる。この場合には、スライド・パッド用のインタフェース回路群のみが電源供給を受ける。この３０４部は、図１に示す３０４部と同じである。
【００７４】
次に、この構造体をノート型パソコンから分離して使用する場合、１２０２のＢｌｕｅｔｏｏｔｈ用の無線アンテナと１２０３の無線受信部を介して、ノート型パソコン本体側のＢｌｕｅｔｏｏｔｈ無線インタフェース（図１２に示す２４４部）との間でデータの授受を行うことができる。このポインティング・デバイス構造体の場合、単純なマウス機能であれば情報は本体への送信方向のみであるので、１２０３の無線受信部は不要である。
【００７５】
さて、このＢｌｕｅｔｏｏｔｈ無線インタフェースの場合には、このポインティング・デバイス構造体と本体との間は完全に分離され、ケーブルで結ばれることがないので、極めて自由にポインティング操作ができるというメリットが大きいが、この場合には、ケーブルがないため、本体から内接電源を供給することができない。
【００７６】
このため、この実施形態３の場合には、実施形態２の場合と同様にこの構造体がパソコン本体に接続されている状態で、３０４のホストＩ／Ｆコネクタから電源が供給されている間に、９０２のバッテリ充放電制御回路によって、９０３の充電用２次バッテリに充電を行い、この構造体が本体から分離されるとこのバッテリが放電して電源の供給を行うようにする。これによって、マウス機能とＢｌｕｅｔｏｏｒｈ無線インタフェース機能は、このバッテリ電源によって駆動する。
【００７７】
更に、同図に於いて、６０４が光学式マウスの機能を実現するための光学式移動認識回路（通常専用のＬＳＩにて機能が実現されている）であり、４１０が発光用のＬＥＤ、４１１が反射を受光する光センサである。
【００７８】
光学式移動認識回路によって得られたマウスの情報を、赤外線インタフェース用のシリアル情報にフォーマット変換するのが、１２０１のマウス・フォーマット変換／ＩｒＤＡ（赤外線）インタフェース回路である。
【００７９】
以上のような、ポインティング・デバイス構造体とすることにより、この構造体をノート型パソコン本体に実装した場合には、スライド・パッドをポインティング・デバイスとして使用でき、これを本体から分離した場合には、Ｂｌｕｅｔｏｏｔｈインタフェースを持った無線式のマウスとして使用することができるようになる。
【図面の簡単な説明】
【００８０】
【図１】本発明によるノート型パソコンの外観例。
【図２】実施形態１によるポインティング・デバイス構造体の機構例。
【図３】実施形態１によるポインティング・デバイス構造体の使用状態。
【図４】実施形態１によるポインティング・デバイス構造体の内部回路構成例。
【図５】実施形態２によるポインティング・デバイス構造体の機構例。
【図６】実施形態２によるポインティング・デバイス構造体の使用状態。
【図７】実施形態２によるポインティング・デバイス構造体の内部回路構成例。
【図８】実施形態３によるポインティング・デバイス構造体の機構例。
【図９】実施形態３によるポインティング・デバイス構造体の使用状態。
【図１０】実施形態３によるポインティング・デバイス構造体の内部回路構成例。
【図１１】一般的なノート型パソコンの外観図。
【図１２】一般的なノート型パソコンの内部回路の機能構成例。
【符号の説明】
【００８１】
１００  ノート型パソコンの本体
１０３  スライド・パッド部
１０４  左操作ボタン・スイッチ
１０５  右操作ボタン・スイッチ
３００、４００、７００  ポインティング・デバイス構造体
４０１  ＵＳＢインタフェース・コネクタ
４０２  ＵＳＢインタフェース・ケーブル
６０３  フォーマット変換／ホストＩ／Ｆ回路
６０４  光学式移動認識回路
６０５  マウス・フォーマット変換／ＵＳＢインタフェース回路
７０１  赤外線ＬＥＤ部
７０２  赤外線の受光部
９０１  マウス・フォーマット変換／ＩｒＤＡ赤外線Ｉ／Ｆ回路
９０２  バッテリ
９０３  充放電制御回路
１２０１  マウス・フォーマット変換／Ｂｌｕｅｔｏｏｔｈ無線インタフェース回路
【図１】
2005234627.tif 000003
【図２】
2005234627.tif 000004
【図３】
2005234627.tif 000005
【図４】
2005234627.tif 000006
【図５】
2005234627.tif 000007
【図６】
2005234627.tif 000008
【図７】
2005234627.tif 000009
【図８】
2005234627.tif 000010
【図９】
2005234627.tif 000011
【図１０】
2005234627.tif 000012
【図１１】
2005234627.tif 000013
【図１２】
2005234627.tif 000014